(57)【特許請求の範囲】
【請求項１】
複数種類の音声処理の中から選択された１つを実行する音声処理部と、
前記音声処理部から音声出力部までの信号伝送経路が有線か無線かを判断する判断部と、
前記信号伝送経路に応じて異なる音声処理に切り替える処理切替部と、を備え、
前記処理切替部は、前記信号伝送経路が有線であるとき、音質向上機能を含む音声処理に切り替えるよう前記音声処理部を制御し、前記信号伝送経路が無線であるとき、前記音質向上機能を含まない音声処理に切り替えるよう前記音声処理部を制御することを特徴とする電子機器。
【請求項２】
コンピュータを、請求項１に記載の電子機器が備える各部として機能させるための処理切替プログラム。
【発明の詳細な説明】
【技術分野】
【０００１】
本発明は、状況に応じて適当なモードに切り替える電子機器に関する。
【背景技術】
【０００２】
日本の地上デジタルテレビ放送のサービス（ISDB-T）の１つに「ワンセグ（1seg）」と呼ばれる携帯電話や移動体端末向けのサービスがある。ワンセグによるテレビ放送に対応した放送受信端末の電源が電池である場合、駆動時間の点から電力消費は小さい方が望ましい。このため、放送受信端末には、音声再生モードとして、良好な音質を実現するための機能（以下「音響付加機能」という。）を実行する通常モードと、音響付加機能を実行しないため通常モードと比べて音質は劣るが電力消費が小さい省電力モードとの２つのモードが用意されている。
【発明の開示】
【発明が解決しようとする課題】
【０００３】
上記説明した放送受信端末においてモードを切り替えるためには、ユーザが当該端末を操作する必要がある。このため、省電力モードが適切な状況であっても、ユーザが省電力モードへの切り替え操作を行わないと当該端末は通常モードのままである。このため、ユーザによる操作がなくても自動的にモードを切り替えることができた方が望ましい。
【０００４】
本発明の目的は、ユーザによる操作がなくても、状況に応じて適当なモードに切り替えることのできる電子機器を提供することである。
【課題を解決するための手段】
【０００７】
本発明は、複数種類の音声処理の中から選択された１つを実行する音声処理部と、前記音声処理部から音声出力部までの信号伝送経路が有線か無線かを判断する判断部と、前記信号伝送経路に応じて異なる音声処理に切り替える処理切替部と、を備え、前記処理切替部は、前記信号伝送経路が有線であるとき、音質向上機能を含む音声処理に切り替えるよう前記音声処理部を制御し、前記信号伝送経路が無線であるとき、前記音質向上機能を含まない音声処理に切り替えるよう前記音声処理部を制御する電子機器を提供する。
【００１７】
本発明は、コンピュータを上記電子機器が備える各部として機能させるための処理切替プログラムを提供する。
【発明の効果】
【００１８】
本発明に係る電子機器及び処理切替プログラムによれば、ユーザによる切り替え指示無しに、状況に応じた最適な電力モードを使用することができる。
【発明を実施するための最良の形態】
【００１９】
以下、本発明の実施形態について、図面を参照して説明する。
【００２０】
（第１の実施形態）
図１は、第１の実施形態の放送受信端末を示すブロック図である。図１に示すように、第１の実施形態の放送受信端末は、画像表示部３０１と、チャンネル操作のための操作部３０２と、スピーカ３０３とを備える。図２は、第１の実施形態の放送受信端末の内部構成を示すブロック図である。図２に示すように、本実施形態の放送受信端末は、アンテナ４０１と、受信部４０２と、分離部４０３と、音声処理部４０４と、スピーカ４０５と、画像処理部４０６と、画像表示部４０７と、制御部４０９と、操作部３０２とを備える。
【００２１】
図３は、第１の実施形態の放送受信端末が備える音声処理部を示すブロック図である。音声処理部４０４に入力された音声データは、復号化処理部１０１にて復号処理が行われる。その後、音質切替部１３１にて高音質化処理部１１１の処理を実施するか否かを切り替える。高音質化処理部１１１の処理を行わない場合は、行った場合に比べ、端末の電力消費を抑えることができる。その後、Ｄ／Ａ変換部１２１にてアナログデータに変換される。
【００２２】
図４は、第１の実施形態の放送受信端末が備える画像処理部を示すブロック図である。画像処理部４０６に入力された画像データは、復号化処理部２０１にて復号処理が行われる。その後、画質切替部２３１にて高画質化処理部２１１の処理を実施するか否かを切り替える。高画質化処理部２１１の処理を行わない場合は、行った場合に比べ、端末の電力消費を抑えることができる。その後、Ｄ／Ａ変換部２２１にてアナログデータに変換される。
【００２３】
図５は、第１の実施形態の放送受信端末の動作を示すフローチャートである。図５に示すように、制御部４０９は、操作部３０２を用いて行われたチャンネル切り替えの時間間隔を検出して（ステップ５−Ｓ１０１）、この検出したチャンネル切替時間間隔を基準値と比較する（ステップ５−Ｓ１１１）。チャンネル切替時間間隔が基準値未満の場合、制御部４０９は、ザッピング状態であると判断して音質向上機能をオフにする（ステップ５−Ｓ１２１）。一方、チャンネル切替時間間隔が基準値以上の場合、制御部４０９は、ザッピング状態ではないと判断して音質向上機能をオンにする（ステップ５−Ｓ１２２）。なお、制御部４０９による上記処理をソフトウェアで実現しても良い。
【００２４】
図６は、第１の実施形態の放送受信端末の動作を示すフローチャートである。図６に示すように、制御部４０９は、操作部３０２を用いて行われたチャンネル切り替えの時間間隔を検出して（ステップ６−Ｓ１０１）、この検出したチャンネル切替時間間隔を基準値と比較する（ステップ６−Ｓ１１１）。チャンネル切替時間間隔が基準値未満の場合、制御部４０９は、ザッピング状態であると判断して画質向上機能をオフにする（ステップ６−Ｓ１２１）。一方、チャンネル切替時間間隔が基準値以上の場合、制御部４０９は、ザッピング状態ではないと判断して画質向上機能をオンにする（ステップ６−Ｓ１２２）。なお、制御部４０９による上記処理をソフトウェアで実現しても良い。
【００２５】
なお、「ザッピング」とは、放送番組の選局操作や記録コンテンツの選択操作をせわしなく行うことである。すなわち、チャンネルを短時間で連続的に切り替えたり、コンテンツを短時間で連続的に切り替える操作が行われている状態が「ザッピング状態」である。
【００２６】
（第２の実施形態）
図７は、第２の実施形態の放送受信端末を示すブロック図である。図７に示すように、第２の実施形態の放送受信端末は、画像表示部７０１と、スイッチ７０２と、スピーカ７０３と、無線式ヘッドホン７０４とを備える。図８は、第２の実施形態の放送受信端末の内部構成を示すブロック図である。図８に示すように、本実施形態の放送受信端末は、アンテナ８０１と、受信部８０２と、分離部８０３と、音声処理部８０４と、有線無線切替部８０５と、無線送信部８０６と、無線受信部８０７と、スピーカ８０８と、スピーカ８０９と、制御部８１０とを備える。
【００２７】
図９は、第２の実施形態の放送受信端末の動作を示すフローチャートである。図９に示すように、制御部８１０は、有線無線切替部８０５の状態に基づいて、音声処理部８０４からスピーカまでの信号伝送経路が有線か無線かを判断する（ステップ９−Ｓ１１１）。無線の場合、制御部８１０は、音質向上機能をオフにする（ステップ９−Ｓ１２１）。一方、有線の場合、制御部８１０は、音質向上機能をオンにする（ステップ９−Ｓ１２２）。なお、制御部８１０による上記処理をソフトウェアで実現しても良い。
【００２８】
（第３の実施形態）
図１０は、第３の実施形態の放送受信端末を示すブロック図である。図１０に示すように、第３の実施形態の放送受信端末は、画像表示部１００１と、スイッチ１００２と、スピーカ１００３とを備える。図１１は、第３の実施形態の放送受信端末の内部構成を示すブロック図である。図１１に示すように、本実施形態の放送受信端末は、アンテナ１１０１と、受信部１１０２と、分離部１１０３と、音声処理部１１０４と、スピーカ１１０５と、番組情報取得部１１０６と、制御部１１０７とを備える。
【００２９】
図１２は、第３の実施形態の放送受信端末の動作を示すフローチャートである。図１２に示すように、制御部１１０７は、番組情報を取得し（ステップ１２−Ｓ１０１）、この取得した番組情報が示す番組のジャンルに応じて音声処理を切り替える（ステップ１２−Ｓ１１１）。音質が重要でないジャンルの場合、制御部１１０７は、音質向上機能をオフにする（ステップ１２−Ｓ１２１）。一方、音質が重要なジャンルの場合、制御部１１０７は、音質向上機能をオンにする（ステップ１２−Ｓ１２２）。なお、制御部１１０７による上記処理をソフトウェアで実現しても良い。
【００３０】
（第４の実施形態）
図１３は、第４の実施形態の放送受信端末を示すブロック図である。図１３に示すように、第４の実施形態の放送受信端末は、画像表示部１３０１と、スイッチ１３０２と、スピーカ１３０３と、マイク１３０４とを備える。図１４は、第４の実施形態の放送受信端末の内部構成を示すブロック図である。図１４に示すように、本実施形態の放送受信端末は、アンテナ１４０１と、受信部１４０２と、音声処理部１４０３と、スピーカ１１０４と、マイク１４０５と、音量計測部１４０６と、制御部１４０７とを備える。
【００３１】
図１５は、第４の実施形態の放送受信端末の動作を示すフローチャートである。図１５に示すように、制御部１４０７は、音量計測部１４０６によって計測された周囲音量に関する情報を取得し（ステップ１５−Ｓ１０１）、周囲音量に応じて音声処理を切り替える（ステップ１５−Ｓ１１１）。周囲音量が基準値以上の場合、制御部１１０７は、高音質機能をオフにする（ステップ１５−Ｓ１２１）。一方、周囲音量が基準値未満の場合、制御部１４０７は、高音質機能をオンにする（ステップ１５−Ｓ１２２）。なお、制御部１４０７による上記処理をソフトウェアで実現しても良い。
【００３２】
（第５の実施形態）
図１６は、第５の実施形態の放送受信端末を示すブロック図である。図１６に示すように、第５の実施形態の放送受信端末は、画像表示部１６０１と、スイッチ１６０２と、スピーカ１６０３と、光センサ１６０４とを備える。図１７は、第５の実施形態の放送受信端末の内部構成を示すブロック図である。図１７に示すように、本実施形態の放送受信端末は、アンテナ１７０１と、受信部１７０２と、分離部１７０３と、映像処理部１７０４と、画像表示部１７０５と、光センサ１７０６と、照度計測部１７０７と、制御部１７０８とを備える。
【００３３】
図１８は、第５の実施形態の放送受信端末の動作を示すフローチャートである。図１８に示すように、制御部１７０８は、光センサ１６０４によって検出された周囲照度に関する情報を取得し（ステップ１８−Ｓ１０１）、周囲照度に応じて画像フィルタ処理を切り替える（ステップ１８−Ｓ１１１）。周囲照度が基準値以上の場合、制御部１７０８は、画像フィルタ処理をオフにする（ステップ１８−Ｓ１２２）。一方、周囲照度が基準値未満の場合、制御部１７０７は、画像フィルタ処理をオンにする（ステップ１８−Ｓ１２１）。なお、制御部１７０８による上記処理をソフトウェアで実現しても良い。
【００３４】
（第６の実施形態）
図１９は、第６の実施形態の放送受信端末を示すブロック図である。図１９に示すように、第６の実施形態の放送受信端末は、画像表示部１９０１と、キー１９０２とを備える。図２０は、第６の実施形態の放送受信端末の内部構成を示すブロック図である。図２０に示すように、本実施形態の放送受信端末は、アンテナ２００１と、受信部２００２と、分離部２００３と、画像処理部２００４と、画像表示部２００５と、制御部２００７と、キー１９０２とを備える。
【００３５】
図２１は、第６の実施形態の放送受信端末の動作を示すフローチャートである。図２１に示すように、制御部２００７は、キー１９０２の入力時間間隔を検出して（ステップ２１−Ｓ１０１）、この検出したキー入力時間間隔を基準値と比較する（ステップ２１−Ｓ１１１）。キー入力時間間隔が基準値以上の場合、制御部２００７は、高画質機能をオンにする（ステップ２１−Ｓ１２１）。一方、キー入力時間間隔が基準値未満の場合、制御部２００７は、高画質機能をオフにする（ステップ２１−Ｓ１２１）。なお、制御部２００７による上記処理をソフトウェアで実現しても良い。
【００３６】
（第７の実施形態）
図２２は、第７の実施形態の放送受信端末を示すブロック図である。図２２に示すように、第７の実施形態の放送受信端末は、第１筐体２２０１と、第２筐体２２０２と、これら２つの筐体を接合するヒンジ部２２０３と、画像表示部２２０４と、キー２２０５とを備える。図２３は、第７の実施形態の放送受信端末の内部構成を示すブロック図である。図２３に示すように、本実施形態の放送受信端末は、アンテナ２３０１と、受信部２３０２と、画像処理部２３０３と、画像表示部２３０４と、制御部２３０５とを備える。
【００３７】
図２４は、第７の実施形態の放送受信端末の動作を示すフローチャートである。図２４に示すように、制御部２３０５は、筐体の開閉状態を検出して（ステップ２４−Ｓ１０１）、筐体開閉状態に応じて画像処理を切り替える（ステップ２４−Ｓ１１１）。筐体が開いている場合、制御部２３０５は、高画質機能をオンにする（ステップ２４−Ｓ１２１）。一方、筐体が閉じている場合、制御部２３０５は、高画質機能をオフにする（ステップ２４−Ｓ１２１）。なお、制御部２３０５による上記処理をソフトウェアで実現しても良い。
【００３８】
（第８の実施形態）
図２５は、第８の実施形態の放送受信端末を示すブロック図である。図２５に示すように、第８の実施形態の放送受信端末は、画像表示部２５０１と、キー２５０２と、スピーカ２５０３とを備える。図２６は、第８の実施形態の放送受信端末の内部構成を示すブロック図である。図２６に示すように、本実施形態の放送受信端末は、アンテナ２６０１と、受信部２６０２と、画像処理部２６０３と、データ放送処理部２６０４と、表示制御部２６０５と、画像表示部２６０６と、音声処理部２６０７と、スピーカ２６０８と、制御部２６０９とを備える。
【００３９】
図２７は、第８の実施形態の放送受信端末の動作を示すフローチャートである。図２７に示すように、制御部２６０９は、データ放送の視聴に応じて画像処理を切り替える（ステップ２７−Ｓ１１１）。データ放送を視聴していない場合、制御部２６０９は、高音質機能をオンにすると共に、画像データのデコード処理を実施する（ステップ２７−Ｓ１２１）。一方、データ放送を視聴している場合、制御部２６０９は、高音質機能をオフにすると共に、画像データのデコード処理を停止する（ステップ２７−Ｓ１２１）。なお、制御部２６０９による上記処理をソフトウェアで実現しても良い。
【００４０】
（第９の実施形態）
図２８は、第９の実施形態の放送受信端末を示すブロック図である。図２８に示すように、第９の実施形態の放送受信端末は、画像表示部２８０１と、キー２８０２と、スピーカ２８０３とを備える。図２９は、第９の実施形態の放送受信端末の内部構成を示すブロック図である。図２９に示すように、本実施形態の放送受信端末は、アンテナ２９０１と、受信部２９０２と、画像処理部２９０４と、画像表示部２９０５と、分離部２９０６と、音声処理部２９０７と、スピーカ２９０８と、制御部２９０９とを備える。
【００４１】
図３０は、第９の実施形態の放送受信端末の動作を示すフローチャートである。図３０に示すように、制御部２９０９は、受信部２９０２が受信した無線信号の電波受信強度を検出して（ステップ３０−Ｓ１０１）、この検出した電波受信強度に応じて画像処理及び音声処理（以下、これら２つの処理をまとめて「データでコード処理」という。）の動作をオンオフする（ステップ３０−Ｓ１１１）。電波受信強度が基準値以上の場合、制御部２９０９は、データデコード処理を実施する（ステップ３０−Ｓ１２１）。一方、電波受信強度が基準値未満の場合、制御部２９０９は、データデコード処理を停止する（ステップ３０−Ｓ１２１）。なお、制御部２９０９による上記処理をソフトウェアで実現しても良い。
【００４２】
（第１０の実施形態）
第１０の実施形態の放送受信端末は、図２８及び図２９に示した放送受信端末と同じ構成である。図３１は、第１０の実施形態の放送受信端末の動作を示すフローチャートである。図３１に示すように、制御部２９０９は、デコード時に発生するエラーの状況、すなわちノイズ強度を検出して（ステップ３１−Ｓ１０１）、この検出したノイズ強度に応じて画像処理を切り替える（ステップ３１−Ｓ１１１）。ノイズ強度が基準値以上の場合、制御部２９０９は、高画質機能をオフにする（ステップ３１−Ｓ１２２）。一方、ノイズ強度が基準値未満の場合、制御部２９０９は、高画質機能をオンにする（ステップ３１−Ｓ１２１）。なお、制御部２９０９による上記処理をソフトウェアで実現しても良い。
【００４３】
（第１１の実施形態）
図３２は、第１１の実施形態の放送受信端末を示すブロック図である。図３２に示すように、第１１の実施形態の放送受信端末は、画像表示部３２０１と、キー３２０２と、スピーカ３２０３と、マイク３２０４とを備える。図３３は、第１１の実施形態の放送受信端末の内部構成を示すブロック図である。図３３に示すように、本実施形態の放送受信端末は、アンテナ３３０１と、受信部３３０２と、分離部３３０３と、画像処理部３３０４と、画像表示部３３０５と、音声処理部３３０６と、スピーカ３３０７と、制御部３３０８と、マイク３３０９と、音声通話処理部３３１０と、通話用アンテナ３３１１とを備える。
【００４４】
図３４は、第１１の実施形態の放送受信端末の動作を示すフローチャートである。図３４に示すように、制御部３４０８は、通話状態を検知して（ステップ３４−Ｓ１０１）、通話状態に応じて音声処理を切り替える（ステップ３４−Ｓ１１１）。通話中である場合、制御部３３０９は、高音質機能をオフにする（ステップ３４−Ｓ１２１）。一方、非通話状態の場合、制御部３３０９は、高音質機能をオンにする（ステップ３４−Ｓ１２２）。なお、制御部３４０８による上記処理をソフトウェアで実現しても良い。
【００４５】
以上説明したように、上記説明した第１〜第１１の実施形態の放送受信端末によれば、高音質処理及び高画質処理の実施効果の低い状態を検知し、無駄な高音質処理及び高画質処理を削減することができる。このため、ユーザによる切り替え指示がなくても、状況に応じて最適なモードを選択して、電力消費を抑えることができる。
【００４６】
なお、本実施形態では、ワンセグによるテレビ放送に対応した放送受信端末を例に説明したが、デジタルラジオに対応した放送受信端末であっても良い。
【産業上の利用可能性】
【００４７】
本発明に係る電子機器は、電力制御を自動で行う放送受信端末等として有用である。
【図面の簡単な説明】
【００４８】
【図１】第１の実施形態の放送受信端末を示すブロック図
【図２】第１の実施形態の放送受信端末の内部構成を示すブロック図
【図３】第１の実施形態の放送受信端末が備える音声処理部を示すブロック図
【図４】第１の実施形態の放送受信端末が備える画像処理部を示すブロック図
【図５】第１の実施形態の放送受信端末の動作を示すフローチャート
【図６】第１の実施形態の放送受信端末の動作を示すフローチャート
【図７】第２の実施形態の放送受信端末を示すブロック図
【図８】第２の実施形態の放送受信端末の内部構成を示すブロック図
【図９】第２の実施形態の放送受信端末の動作を示すフローチャート
【図１０】第３の実施形態の放送受信端末を示すブロック図
【図１１】第３の実施形態の放送受信端末の内部構成を示すブロック図
【図１２】第３の実施形態の放送受信端末の動作を示すフローチャート
【図１３】第４の実施形態の放送受信端末を示すブロック図
【図１４】第４の実施形態の放送受信端末の内部構成を示すブロック図
【図１５】第４の実施形態の放送受信端末の動作を示すフローチャート
【図１６】第５の実施形態の放送受信端末を示すブロック図
【図１７】第５の実施形態の放送受信端末の内部構成を示すブロック図
【図１８】第５の実施形態の放送受信端末の動作を示すフローチャート
【図１９】第６の実施形態の放送受信端末を示すブロック図
【図２０】第６の実施形態の放送受信端末の内部構成を示すブロック図
【図２１】第６の実施形態の放送受信端末の動作を示すフローチャート
【図２２】第７の実施形態の放送受信端末を示すブロック図
【図２３】第７の実施形態の放送受信端末の内部構成を示すブロック図
【図２４】第７の実施形態の放送受信端末の動作を示すフローチャート
【図２５】第８の実施形態の放送受信端末を示すブロック図
【図２６】第８の実施形態の放送受信端末の内部構成を示すブロック図
【図２７】第８の実施形態の放送受信端末の動作を示すフローチャート
【図２８】第９の実施形態の放送受信端末を示すブロック図
【図２９】第９の実施形態の放送受信端末の内部構成を示すブロック図
【図３０】第９の実施形態の放送受信端末の動作を示すフローチャート
【図３１】第１０の実施形態の放送受信端末の動作を示すフローチャート
【図３２】第１１の実施形態の放送受信端末を示すブロック
【図３３】第１１の実施形態の放送受信端末の内部構成を示すブロック図
【図３４】第１１の実施形態の放送受信端末の動作を示すフローチャート
【符号の説明】
【００４９】
３０１  画像表示部
３０２  スイッチ
３０３  スピーカ
４０１  アンテナ
４０２  受信部
４０３  分離部
４０４  音声処理部
４０５  スピーカ
４０６  画像処理部
４０７  画像表示部
４０８  操作部
４０９  制御部
７０１  画像表示部
７０２  スイッチ
７０３  スピーカ
７０４  無線式ヘッドホン
８０１  アンテナ
８０２  受信部
８０３  分離部
８０４  音声処理部
８０５  有線無線切替部
８０６  無線送信部
８０７  無線受信部
８０８  スピーカ
８０９  スピーカ
８１０  制御部
１００１  画像表示部
１００２  スイッチ
１００３  スピーカ
１１０１  アンテナ
１１０２  受信部
１１０３  分離部
１１０４  音声処理部
１１０５  スピーカ
１１０６  番組情報取得部
１１０７  制御部
１３０１  画像表示部
１３０２  スイッチ
１３０３  スピーカ
１３０４  マイク
１４０１  アンテナ
１４０２  受信部
１４０３  音声処理部
１１０４  スピーカ
１４０５  マイク
１４０６  音量計測部
１４０７  制御部
１６０１  画像表示部
１６０２  スイッチ
１６０３  スピーカ
１６０４  光センサ
１７０１  アンテナ
１７０２  受信部
１７０３  分離部
１７０４  映像処理部
１７０５  画像表示部
１７０６  光センサ
１７０７  照度計測部
１７０８  制御部
１９０１  画像表示部
１９０２  キー
２００１  アンテナ
２００２  受信部
２００３  分離部
２００４  画像処理部
２００５  画像表示部
２００６  操作部
２００７  制御部
２２０１  第１筐体
２２０２  第２筐体
２２０３  ヒンジ部
２２０４  画像表示部
２２０５  キー
２３０１  アンテナ
２３０２  受信部
２３０３  画像処理部
２３０４  画像表示部
２３０５  制御部
２５０１  画像表示部
２５０２  キー
２５０３  スピーカ
２６０１  アンテナ
２６０２  受信部
２６０３  画像処理部
２６０４  データ放送処理部
２６０５  表示制御部
２６０６  画像表示部
２６０７  音声処理部
２６０８  スピーカ
２６０９  制御部
２８０１  画像表示部
２８０２  キー
２８０３  スピーカ
２９０１  アンテナ
２９０２  受信部
２９０４  画像処理部
２９０５  画像表示部
２９０６  分離部
２９０７  音声処理部
２９０８  スピーカ
２９０９  制御部
３２０１  画像表示部
３２０２  キー
３２０３  スピーカ
３２０４  マイク
３３０１  アンテナ
３３０２  受信部
３３０３  分離部
３３０４  画像処理部
３３０５  画像表示部
３３０６  音声処理部
３３０７  スピーカ
３３０８  制御部
３３０９  マイク
３３１０  音声通話処理部
３３１１  通話用アンテナ
【図１】
0004522439.tif 000002
【図２】
0004522439.tif 000003
【図３】
0004522439.tif 000004
【図４】
0004522439.tif 000005
【図５】
0004522439.tif 000006
【図６】
0004522439.tif 000007
【図７】
0004522439.tif 000008
【図８】
0004522439.tif 000009
【図９】
0004522439.tif 000010
【図１０】
0004522439.tif 000011
【図１１】
0004522439.tif 000012
【図１２】
0004522439.tif 000013
【図１３】
0004522439.tif 000014
【図１４】
0004522439.tif 000015
【図１５】
0004522439.tif 000016
【図１６】
0004522439.tif 000017
【図１７】
0004522439.tif 000018
【図１８】
0004522439.tif 000019
【図１９】
0004522439.tif 000020
【図２０】
0004522439.tif 000021
【図２１】
0004522439.tif 000022
【図２２】
0004522439.tif 000023
【図２３】
0004522439.tif 000024
【図２４】
0004522439.tif 000025
【図２５】
0004522439.tif 000026
【図２６】
0004522439.tif 000027
【図２７】
0004522439.tif 000028
【図２８】
0004522439.tif 000029
【図２９】
0004522439.tif 000030
【図３０】
0004522439.tif 000031
【図３１】
0004522439.tif 000032
【図３２】
0004522439.tif 000033
【図３３】
0004522439.tif 000034
【図３４】
0004522439.tif 000035